(57)【要約】  【課題】左右に区画される貯蔵室間の断熱性を向上させ、構造的強度を向上させることができる冷蔵庫の提供。  【解決手段】外壁を構成する断熱箱体２０１と、断熱箱体２０１に取付けられ、前記断熱箱体の内空間を仕切る仕切り２１８、２２２と、断熱箱体２０１の内部、及び、仕切り２１８、２２２の内部に一体に充填される断熱材４０４とを備える冷蔵庫であって、断熱箱体２０１に取付けられ、断熱箱体２０１の庫内を仕切る下仕切り２１８と、下仕切り２１８の上方に隣接して断熱箱体２０１の庫内を仕切る上仕切り２２２と断熱箱体２０１の内部、及び、下仕切り２１８の内部、上仕切り２２２の内部に一体に充填される断熱材２０２とを備える冷蔵庫であって、下仕切り２１８は、幅方向中間部に奥行き方向にわたり上方に向かって一体に突設され、前記下仕切りの内部と一体に内部に断熱材が充填される第１突出壁４０１を備える。【選択図】図２
2008075889.tif 000002
【特許請求の範囲】
【請求項１】
外壁を構成する断熱箱体と、前記断熱箱体に取付けられ、前記断熱箱体の庫内を仕切る下仕切りと、前記下仕切りの上方に隣接して前記断熱箱体の庫内を仕切る上仕切りと前記断熱箱体の内部、及び、前記下仕切りの内部、前記上仕切りの内部に一体に充填される断熱材とを備える冷蔵庫であって、前記下仕切りは、幅方向中間部に奥行き方向にわたり上方に向かって一体に突設され、前記下仕切りの内部と一体に内部に断熱材が充填される第１突出壁を備えることを特徴とする冷蔵庫。
【請求項２】
前記上仕切りは、幅方向中間部に奥行き方向にわたって垂下状一体に突設され、前記上仕切りの内部と一体に内部に断熱材が充填される第２突出壁を備える請求項１に記載の冷蔵庫。
【請求項３】
前記第１突出壁と前記第２突出壁とは突き合わせ状態で配置され、上仕切りと下仕切りで区画される空間をさらに左右に仕切る左右仕切りを構成する請求項２に記載の冷蔵庫。
【請求項４】
さらに、前記第１の突出壁の側部に奥行き方向にわたって設けられるレールを備える請求項１に記載の冷蔵庫。
【発明の詳細な説明】
【技術分野】
【０００１】
本発明は、冷蔵庫、特に、断熱箱体と一体に断熱材が充填される仕切りの構造などに関する。
【背景技術】
【０００２】
近年、冷蔵庫は地球環境保護の観点から更なる省エネルギー化が進むと共に、その使い勝手や収納性の向上が求められている。
【０００３】
従来この種の冷蔵庫は、最も大きな外側の断熱箱体の内空間に断熱性を備えた仕切板を挿入して複数の部屋が形成される構造が採用されている。そして、複数の部屋はそれぞれの目的に応じて異なる温度を実現できるように相互に断熱されている。具体的には、断熱箱体は、金属製の外箱と樹脂製の内箱の二重構造とし、これら外箱と内箱との間に断熱材であるポリウレタン等の断熱材を発泡充填して形成されている。また、断熱箱体の庫内を複数の温度帯で仕切って保存する各食品に適した温度の貯蔵室とするため、断熱性の仕切りを庫内に設けている（例えば、特許文献１参照）。
【０００４】
また、断熱箱体最上部の貯蔵室の上壁後部を下がるように窪ませて冷却ユニットの高圧機器収納凹所を設けることにより、最上部の貯蔵室上奥部の使用性の向上と最下部の貯蔵室の収納容積アップを図っているものもある（例えば、特許文献２参照）。
【０００５】
図７は、特許文献１に記載された従来の冷蔵庫の縦断面図である。
【０００６】
同図に示すように、断熱箱体１は、上から順に、冷蔵室２、冷凍温度帯から冷蔵、野菜、チルド等の温度帯に切り替え可能な切替室３と、切替室３に並列に設けられた貯氷室４、野菜室５、冷凍室６に区画されている。さらに、冷気を生成する冷却器７と、冷気を各貯蔵室に供給するファン８とを収納する冷却室９を断熱箱体１の下側奥部に備えている。
【０００７】
各貯蔵室の区画は、次のようにしてなされている。すなわち、冷蔵室２と切替室３および貯氷室４とは、第一の仕切部１０で上下方向に仕切られている。第一の仕切部１０の下側後方は、各貯蔵室と冷却室９とを奥行き方向に仕切る第二の仕切部１１で仕切られている。この第二の仕切部１１は、各貯蔵室を冷却するための冷気用送風路と帰還風路を備えている。第三の仕切部１２は切替室３および貯氷室４と野菜室５とを上下方向に仕切っている。野菜室５と冷凍室６とは第四の仕切部１３で仕切られている。また、冷蔵室２の背面には冷蔵室２を冷却するための冷気用送風路と帰還風路で構成された第五の仕切部１４が設けられている。
【０００８】
これら第三の仕切部１２と第四の仕切部１３の間には、さらに、図８に分解状態で示すように、切替室３と貯氷室４とを左右方向に区画する別体の左右仕切りが取り付けられている。
【０００９】
次に、各仕切部の取付構造について説明する。
【００１０】
第一の仕切部１０は、内箱１５と一体成形され成型時の熱で成形断熱材１６を内箱１５と接着することで冷気や水漏れが無いよう取り付けられている。
【００１１】
第二の仕切部１１は冷却室９と区画するために外周にシール材が設けられ、さらに第一の仕切部１０後方部に配設された冷蔵室２を冷却するための冷気用送風路と帰還風路を接合するためのシール材が第一の仕切部１０との接合面に設けられている。
【００１２】
第三の仕切部１２、第四の仕切部１３は共に冷気、水漏れが無いようにそれぞれ外周にシール材が設けられている。また第五の仕切部１４には、第一の仕切部１０後方部に配設された冷蔵室２を冷却するための冷気用送風路を接合するためのシール材が設けられている。
【００１３】
また、図８に示すように、切替室３と貯氷室４とを区画する左右仕切り１７は、切替室３や貯氷室４に収納される引き出しを案内するためのレールが設けられており、第三の仕切部１２の上面と第四の仕切部１３下面にシール材により取り付けられる。
【００１４】
第二の仕切部１１、第三仕切部１２、第四の仕切部１３、第五の仕切部１４、左右仕切り１７は断熱箱体１がポリウレタン等の断熱材で充填発泡された後、取り付けられる。
【００１５】
これにより、冷蔵庫内を各食品の温度に適した複数の貯蔵室に区画し使い勝手や収納性を向上させながら、部品点数を削減し組立作業性を向上させることができるものである。
【特許文献１】特開平１１−３２５６９１号公報
【特許文献２】特開２００１−９９５５２号公報
【発明の開示】
【発明が解決しようとする課題】
【００１６】
しかしながら、左右仕切り１７を含む各仕切りは、断熱箱体１をポリウレタン等の断熱材で充填発泡された後に取り付けられるため、冷気や水漏れを防止するためにシール材により取り付けられている。このため相当のシール材が必要となり冷蔵庫のコストアップにつながることとなる。さらには、温度差が大きくなる可能性のある切替室３と貯氷室４との間を仕切るため、製造上のばらつきを考慮するとシール材の幅長さも大きくなりさらにコストアップとなる。
【００１７】
また、左右仕切り１７は、ポリウレタンより熱伝導率が高いポリスチレン等の成形断熱材で構成されているために、切替室３と貯氷室４との間に大きな温度差が生じた場合に、断熱能力が不足して左右仕切り１７に結露が発生する等の問題が生じる可能性がある。
【００１８】
また、左右仕切り１７には、切替室３や貯氷室４に収納される引き出しを案内するためのレール１８が設けられているが、前記シール材で左右仕切り１７が取り付けられているため、取り付け精度が悪く、対向する他のレールとの平行度を保つことができずに引き出しが挿脱し難くなることもある。
【００１９】
本発明は、上記課題を解決するためになされたものであり、冷蔵庫の庫内を左右に区画する左右仕切りであって、断熱性に優れ寸法精度の高い左右仕切りを備えた冷蔵庫を提供することを目的とする。
【課題を解決するための手段】
【００２０】
上記従来の課題を解決するために、本発明の冷蔵庫は、外壁を構成する断熱箱体と、前記断熱箱体に取付けられ、前記断熱箱体の庫内を仕切る下仕切りと、前記下仕切りの上方に隣接して前記断熱箱体の庫内を仕切る上仕切りと前記断熱箱体の内部、及び、前記下仕切りの内部、前記上仕切りの内部に一体に充填される断熱材とを備える冷蔵庫であって、前記下仕切りは、幅方向中間部に奥行き方向にわたり上方に向かって一体に突設され、前記下仕切りの内部と一体に内部に断熱材が充填される突出壁を備えることを特徴とする。
【００２１】
これにより、断熱材が一体に充填された突出壁を左右の仕切りとすることができるため、剛性が高く断熱性の高い左右の仕切りを備えた冷蔵庫とすることができる。
【発明の効果】
【００２２】
本発明の冷蔵庫は、使い勝手と収納性を高めつつ、左右方向に区画される貯蔵室間を高い断熱性で仕切ることが可能となる。
【発明を実施するための最良の形態】
【００２３】
請求項１に記載の発明は、外壁を構成する断熱箱体と、前記断熱箱体に取付けられ、前記断熱箱体の庫内を仕切る下仕切りと、前記下仕切りの上方に隣接して前記断熱箱体の庫内を仕切る上仕切りと前記断熱箱体の内部、及び、前記下仕切りの内部、前記上仕切りの内部に一体に充填される断熱材とを備える冷蔵庫であって、前記下仕切りは、幅方向中間部に奥行き方向にわたって上方に向かって一体に突設され、前記下仕切りの内部と一体に内部に断熱材が充填される第１突出壁を備えることを特徴とする冷蔵庫である。これにより、断熱材が一体に充填された第１突出壁を左右の仕切りの一部とすることができるため、剛性が高く断熱性の高い左右の仕切りを備えた冷蔵庫とすることができる。
【００２４】
請求項２に記載の発明は、請求項１に記載の発明において、さらに前記上仕切りに第２突出壁を備える冷蔵庫である。これにより、さらに冷蔵庫の構造的強度を向上せしめ、左右の貯蔵室間の断熱性をさらに高めることが可能となる。
【００２５】
請求項３に記載の発明は、請求項２に記載の発明において、前記第１突出壁と前記第２突出壁とは突き合わせ状態で配置され、上仕切りと下仕切りで区画される空間をさらに左右に仕切る左右仕切りを構成する冷蔵庫である。これにより、さらなる冷蔵庫の構造的強度の向上と断熱性の向上を図ることができ、さらに、左右仕切りを形成するために必要なシール箇所を減少させるとともに、部品点数の減少を図ることができ、コスト低下に寄与することが可能となる。
【００２６】
請求項４に記載の発明は、請求項１に記載の発明において、前記第１突出壁に引き出し挿脱用のレールを設けたものである。これにより、下仕切りに一体に設けられる第１突出壁にレールが取り付けられるため、寸法安定性が向上し、対向し対になって機能するレールとの平行度を高い状態で維持することが可能となる。
【００２７】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００２８】
（実施の形態１）
図１は、本発明の実施の形態１における冷蔵庫の縦断面図を示すものである。
【００２９】
同図に示すように、冷蔵庫２００は、断熱箱体２０１と断熱箱体２０１の開口部を覆う扉３００とを備えている。
【００３０】
断熱箱体２０１は、外箱２０２と内箱２０３とを備え、外箱２０２と内箱２０３との間に例えば硬質発泡ウレタンなどの断熱材が充填され外部と庫内とを断熱する略直方体形状の箱体である。また、断熱箱体２０１の庫内は、後述する仕切により複数の貯蔵室に区分されている。また、断熱箱体２０１は、その最も面積の広い一面が開口しており、当該開口部は、ヒンジを介して取り付けられる扉３００や引き出しの前面などにより開閉自在に封止できるものとなされている。
【００３１】
断熱箱体２０１庫内の最上部には、第一の貯蔵室としての冷蔵室２０４が配置され、その冷蔵室２０４の下部に第四の貯蔵室としての切替室２０５と製氷室２０６とが横並びに設けられている。また、その切替室２０５と製氷室２０６の下部に第二の貯蔵室としての野菜室２０７が配置され、そして断熱箱体２０１内部の最下部に第三の貯蔵室としての冷凍室２０８が配置される。本実施の形態に係る冷蔵庫２００は、以上の構成となっている。
【００３２】
冷蔵室２０４は、物品を凍らせること無く冷蔵保存するための貯蔵室である。従って、冷蔵室２０４の温度は、物品が凍らない温度範囲の下限である１℃〜５℃の範囲で維持される。
【００３３】
野菜室２０７は、冷蔵室２０４と同等もしくは若干高い温度である２℃〜７℃の範囲で維持されることが多い。なお、低温にするほど葉野菜の鮮度を長期間維持することが可能である。
【００３４】
冷凍室２０８は、冷凍温度帯に維持されており、具体的には、−２２℃〜−１８℃で維持される。また、冷凍保存状態の向上のために、例えば−３０℃や−２５℃の低温で維持されることもある。
【００３５】
切替室２０５は、冷蔵温度帯から冷凍温度帯の間で予め設定された温度帯に切り換えることができる貯蔵室である。例えば、１℃〜５℃で設定されれば冷蔵室として機能し、２℃〜７℃で設定されれば野菜室と同様に機能し、約０℃で設定されればチルド室として機能し、約−３℃で設定されれば、肉や魚などを微凍結状態にして長期保存を行うパーシャル室として機能し、０℃以下の温度帯で設定されれば、冷凍保存用の冷凍室のように機能する。
【００３６】
製氷室２０６は、冷蔵室２０４内の貯水タンク（図示せず）から送られた水で製氷室２０６内に設けられた自動製氷機（図示せず）で氷を作り、貯蔵しておくスペースである。
【００３７】
また冷蔵室２０４は、冷蔵室２０４の室内底面と冷蔵室２０４のドア部の底面を、比較的重みのある鍋類やペットボトル飲料や牛乳パック等を女性や子供でも取り出し易いように低くしてある。
【００３８】
断熱箱体２０１の天面部は、冷蔵室２０４の背面方向に向かって階段状に凹みを設けた形状であり、この階段状の凹部に圧縮機２０９、水分除去を行うドライヤ（図示せず）等の冷凍サイクル高圧側の構成部品が収納されている。すなわち、圧縮機２０９を配設する凹部は、冷蔵室２０４内の最上部の後方領域に食い込んで形成されることになる。
【００３９】
以上の構成を採用することにより、手が届きにくくデッドスペースとなっていた断熱箱体２０１の最上部の貯蔵室の後方領域に圧縮機２０９を配置することができ、誰もが使いやすい断熱箱体２０１の最下部の貯蔵室容量を大きくすることができる。
【００４０】
なお、本発明にかかる冷蔵庫としては、従来一般的であった断熱箱体２０１の最下部の貯蔵室の後方領域に圧縮機２０９を配置してもよい。
【００４１】
冷却室２１０は、野菜室２０７と冷凍室２０８との背面に設けられている。この冷却室２１０は、断熱性能を有する第一の仕切り２１１により野菜室２０７と冷凍室２０８から仕切られている。
【００４２】
冷却室２１０内には、代表的なものとしてフィンアンドチューブ式の冷却器（図示せず）が配設されており、前記冷却器の上部空間には強制対流方式により冷却器で冷却した冷気を冷蔵室２０４、切替室２０５、製氷室２０６、野菜室２０７、冷凍室２０８に送風する冷却ファン（図示せず）が配置され、冷却器の下部空間には冷却時に冷却器や冷却ファンに付着する霜を除霜する装置としてのガラス管製のラジアントヒータ（図示せず）が設けられている。
【００４３】
冷却室２１０から送風される冷気は、後述の風路２１５、２１６、２１５ａを経由して各貯蔵室に供給される。また、各貯蔵室の温度は、後述のダンパーによる冷気の供給量により調整される。
【００４４】
第一の仕切り２１１は、冷却室２１０と冷凍室２０８および野菜室２０７とを仕切る仕切りである。また、第１の仕切り２１１は、その内部に第一の風路２１５を備えている。この第一の風路２１５は、冷凍室２０８と冷蔵室２０４、切替室２０５、製氷室２０６、野菜室２０７に冷気を送風するための風路である。
【００４５】
この第１の仕切り２１１は、内箱２０３の内部奥壁に取り付けられるユニットであり、冷却室２１０から冷凍室２０８や野菜室２０７に冷気や水が漏れ出さないように内箱２０３等と第１の仕切り２１１の接合部分はシール材により気密性、断熱性を確保しつつ貼り付けられている。
【００４６】
また、第一の仕切り２１１の上面は、冷蔵室２０４、切替室２０５、製氷室２０６、野菜室２０７を冷却するための冷気が送風される第二の風路２１６と接合されるため、当該接合面もシール材により貼り付けられている。
【００４７】
第二の仕切り２１７は、冷凍室２０８と野菜室２０７とを仕切りであり、ポリスチレン等の断熱材で構成されている。この第二の仕切り２１７は、断熱材充填後の内箱２０３に挿入配置して取り付けられるものであり、内箱２０３や第一の仕切り２１１との接合面はシール材により接合されている。
【００４８】
なお、第一の仕切り２１１や第二の仕切り２１７は、これらを接合しているシール材が引き離す方向に力を加えることで乖離するものであるため、取り外し可能である。
【００４９】
図２は、本発明にかかる下仕切りである第三の仕切りと当該第三の仕切りの奥部に取り付けられる第二の風路を示す斜視図、図３は、本実施の形態における仕切りの構成を示す断面図、図４は、本実施の形態における製氷室、切換室に引き出しを挿入した状態を透視状体で示す正面図である。
【００５０】
第三の仕切り２１８は、切替室２０５、製氷室２０６と野菜室２０７を上下に仕切る仕切りである。同図に示すように、第三の仕切り２１８は、その幅方向の中間部に奥行き方向にわたって延び、上方に突出する第１突出壁４０１を備えており、当該第１突出壁４０１は、切替室２０５と製氷室２０６と左右に仕切る左右仕切りの一部を構成している。さらに第１突出壁４０１の両側壁にはレール４０２が設けられている。
【００５１】
また、図３に示すように、第三の仕切り２１８は、上面板２１９と下面板２２０とを備えている。当該上面板２１９と下面板２２０との間、つまり第三の仕切り２１８の内部は、断熱箱体２０１の外箱２０２と内箱２０３との間と一体となって硬質発泡ウレタンなどの断熱材４００が充填される空間となされている。また、第１突出壁４０１は、上面板２１９から一体に膨出状に形成されており、当該第１突出壁４０１の内部にも断熱材４００が一体に充填されている。
【００５２】
ここで、便宜上第三の仕切り２１８の平板部分を、仕切板３０１と称する。仕切板３０１は、平面視略矩形となされているが、奥端部は第二の風路２１６の外部形状に適合した凹陥部を備えている。そして、図２に示すように、仕切板３０１の前端以外の、両側端縁と前記凹陥部を含む奥端縁には当該形状に沿った起立状のフランジ２２６が一体に立設されている。
【００５３】
フランジ２２６は、第三の仕切り２１８を断熱箱体２０１に取り付けた際に、断熱箱体２０１の内法、または、第二の風路２１６の外周に当接状態で沿う形状となされている。また、フランジ２２６の高さは、第四の仕切り２２２が同様に備えるフランジの端部と係合しうる高さを備えている。
【００５４】
また、フランジ２２６の第１突出壁４０１に対向する面には、第１突出壁４０１と同様にレール４０２が設けられている。
【００５５】
このように第三の仕切２１８が一体に備える第１突出壁４０１とフランジ２２６とにレール４０２が設けられているため寸法安定性が高く、例えば図４に示すように、対向するレール４０２に引き出しＡを挿入した場合でも、スムーズに引き出しＡを抜き差しすることが可能となる。
【００５６】
下仕切りの上側に隣接して配置される上仕切りとしての第四の仕切り２２２は、冷蔵室２０４と切替室２０５、及び、製氷室２０６とを上下に仕切る仕切りである。
【００５７】
第四の仕切り２２２の前縁以外の周縁には垂れ下がったフランジ２２５が延設されている。さらに、図３に示すように、第四の仕切り２２２も第三の仕切り２１８と同様に、下面板２２３と上面板２２４とを備えている。当該下面板２２３と上面板２２４との間、つまり第四の仕切り２２２の内部は、第三の仕切り２１８と同様、断熱箱体２０１と同時期に硬質発泡ウレタンなどの断熱材が充填される空間が形成される。
【００５８】
また第四の仕切り２２２は、第三の仕切り２１８と同様に、その幅方向の中間部に奥行き方向にわたって延び垂下状に突出する第２突出壁４０３を備えており、当該第２突出壁４０３は、第三の仕切り２１８に設けられた第１突出壁４０１と共に、切替室２０５と製氷室２０６と左右に仕切る左右仕切りを構成している。また、第四の仕切り２２２に設けられる第２突出壁４０３も、第三の仕切り２１８に設けられる第１突出壁４０１と同様に、内部は断熱材４００により一体に充填されている。
【００５９】
このように、断熱材４００が一体に充填された第１突出壁４０１、第２突出壁４０３により左右仕切りが構成されることにより、切替室２０５と製氷室２０６とを効率よく断熱することができ、例えば切替室２０５の設定温度を任意に設定しても製氷室２０６に与える影響を非常に少なく抑えることが可能となる。
【００６０】
また、冷蔵庫２００の構造的強度を向上させることができ、また、左右仕切りがポリウレタン断熱材となるので、貯蔵室間の吸熱負荷を低減でき、消費電力を低減できる。
【００６１】
さらに第三の仕切り２１８と第四の仕切２２２とに設けられた突出壁４０２、４０３で左右仕切りが構成されるため、シール材で接着する箇所を減少させることができ、部品点数も減りコストダウンとシール性の向上が図れる。
【００６２】
次に、本実施の形態に係る冷蔵庫の製造工程を一部説明する。
【００６３】
まず、図２に示すように、事前に第三の仕切り２１８の奥部に第二の風路２１６を取り付けておく。当該取付は、第三の仕切り２１８の奥端部から奥方向に突出したくさび形状の取り付けリブを第二の風路２１６に強制嵌入することにより行われる。さらに、第四の仕切り２２２を第二の風路２１６及び第三の仕切り２１８に取り付ける。この段階において、第１突出壁４０１と第２突出壁４０３とは突き合わせ状態となされ、接合部はシール材で貼り付けられる。
【００６４】
このように第三の仕切り２１８と、第二の風路２１６と、第四の仕切り２２２とを断熱箱体２０１外部でユニット化しておくことで、各部品を目視しながら容易に組み立てることができ、確実に位置あわせなどができているか確認できることで、シール不良等の冷気洩れを防止することが可能となる。
【００６５】
次に、断熱箱体２０１を構成する外箱２０２の内側に内箱２０３を配置し、当該内箱２０３に前記ユニット化された第三の仕切り２１８と、第二の風路２１６と、第四の仕切り２２２とを仮取り付けする。
【００６６】
以上により、第二の風路２１６は、断熱箱体２０１の庫内の所定の位置に配置される。なお、第二の風路２１６と上下方向に接続される他の風路２１５、２１５ａなどとはシール材で接合面などが貼り付けられる。
【００６７】
また、第三の仕切り２１８、第四の仕切り２２２の側面には断熱材を導入する導入口が備えられており、第三の仕切り２１８、第四の仕切り２２２を取り付けた状態での内箱２０３の対応部分には断熱材を導出口が備えられている。そして、第三の仕切り２１８、第四の仕切り２２２が取り付けられた状態において、前記導入口と導出口の周囲はシール材が貼り付けられ導出口から導入口へ流出する断熱材が漏れ出さないものとなされている。さらに、第三の仕切り２１８、第四の仕切り２２２の側面には、導入口から第三の仕切り２１８内部に導入された断熱材が第三の仕切り２１８の外部に吐出する吐出口３０２が設けられている。この吐出口３０２は内箱２０３に面して設けられている。
【００６８】
次に、断熱材を注入する際に内箱２０３等を支持する治具をセットし断熱材を注入する。注入する断熱材としては硬質の発泡ウレタンが採用されている。断熱材は内箱２０３と外箱２０２との間に充填されると共に、内箱２０３に設けられる導出口から第三の仕切り２１８や第四の仕切り２２２に設けられる導入口を介して仕切りの内部及び第１突出壁４０１、第２突出壁４０３に充填される。さらに断熱材は、吐出口３０２から漏れだして、第三の仕切り２１８や第四の仕切り２２２と内箱２０３との間に充填される。
【００６９】
以上により、貯蔵室間の仕切り構造として第三の仕切り２１８と第四の仕切り２２２が硬質発泡ウレタンで充填されたものであり取り外しができず断熱箱体２０１と強固に接合しているため、貯蔵室間での冷気漏れがなくなり、品質の安定化につながる。さらに、断熱箱体２０１内が第三の仕切り２１８と第四の仕切り２２２により二枚のウレタンで充填された仕切り構造となり、さらに、ウレタンで一体に充填された第１突出壁４０１と第２突出壁４０３とが突き合わせ状態となるために、冷蔵庫本体の箱体強度を強くすることができ、冷蔵庫扉に収納された食品の荷重による冷蔵庫本体の歪みを抑制できる、切替室２０５と製氷室２０６との左右に区画された部屋も高い性能で断熱することが可能となる。
【００７０】
（実施の形態２）
次に、実施の形態２について説明する。本実施の形態は、上記実施の形態１に他の構造を付加したものである。同一の部材などについては同一の符号を付し機能や構造など同一のものはその説明を省略する。
【００７１】
図５は、本発明の実施の形態２おける第三の仕切りおよび第四の仕切り近傍を示す断面図、図６は、同実施の形態における第三の仕切り近傍を分解して示す斜視図である。
【００７２】
図５に示すように、第三の仕切り２１８が備える第１突出壁４０１、および、第四の仕切り２２２が備える第２突出壁４０３の先端は、右に相互に距離が広がるようにそれぞれに傾斜が設けられている。そして、第１突出壁４０１と第２突出壁４０３とで形成されるテーパー状の部分に適合するように取付壁４０４が嵌合されている。
【００７３】
取付壁４０４は、発泡ポリスチレン等で構成された部材であり、断面は台形となされ、斜辺に該当する部分は第１突出壁４０１と第２突出壁４０３との傾斜部分に対応するものとなっている。
【００７４】
また、本実施の形態においても、引き出しを挿脱するためのレール４０２が第１突出壁４０１に取り付けられている。
【００７５】
次に、本実施の形態に係る冷蔵庫の製造工程を一部説明する。
【００７６】
まず、図６に示すように、外箱２０２と内箱２０３とを備え内部に断熱材の充填空間を備える断熱箱体２０１第四の仕切り２２２と、第三の仕切り２１８とを仮取り付けする。
【００７７】
次に、断熱材を注入する際に内箱２０３等を支持する治具をセットし断熱材を注入する。注入する断熱材としては硬質の発泡ウレタンが採用されている。断熱材は内箱２０３と外箱２０２との間に充填されると共に、内箱２０３に設けられる導出口から第三の仕切り２１８や第四の仕切り２２２に設けられる導入口を介して仕切りの内部及び第１突出壁４０１、第２突出壁４０３に充填される。さらに断熱材は、吐出口３０２から漏れだして、第三の仕切り２１８や第四の仕切り２２２と内箱２０３との間に充填される。さらに、第三の仕切り２１８および第四の仕切り２２２が備える第１突出壁４０１と第２突出壁４０３との内部にも断熱材が充填される。
【００７８】
次に、第１突出壁４０１と第２突出壁４０３との間に取付壁４０４を取り付ける。当該取付にはシール材が用いられる。
【００７９】
取付壁４０４の取付は、第１突出壁４０１と第２突出壁４０３との間に形成されているテーパー部分に断面台形の取付壁４０４を押し付けるようにして取り付ける。
【００８０】
このように、テーパー部分を設けることで、シール材にかかるせん断力を低減できると共に、シールに必要な押し付け力を高めることができ、取付壁４０４を強固に取り付けることができると共に、冷気漏れ等の断熱性を低下させる要因を可及的に回避することが可能となる。
【産業上の利用可能性】
【００８１】
本発明は冷蔵庫、特に断熱箱体と、庫内を仕切る仕切りとに一体に断熱材を充填して形成される冷蔵庫に適用できる。
【図面の簡単な説明】
【００８２】
【図１】本発明の実施の形態１における冷蔵庫の縦断面図
【図２】同実施の形態におけるユニット化された第三の仕切り及び第二の風路を示す斜視図
【図３】同実施の形態における仕切りの構成を示す断面図
【図４】同実施の形態における製氷室、切換室に引き出しを挿入した状態を透視状体で示す正面図
【図５】本発明の実施の形態２における仕切りの構成を示す断面図
【図６】同実施の形態における第三の仕切り近傍を分解して示す斜視図
【図７】従来の冷蔵庫を示す縦断面図
【図８】従来の冷蔵庫の第三の仕切部近傍を分解して示す斜視図
【符号の説明】
【００８３】
２０１  断熱箱体
２０３  内箱
２０４  冷蔵室（第一の貯蔵室）
２０５  切替室（第四の貯蔵室）
２０７  野菜室（第二の貯蔵室）
２０８  冷凍室（第三の貯蔵室）
２１０  冷却室
２１１  第一の仕切り
２１５  第一の風路
２１６  第二の風路
２１７  第二の仕切り
２１８  第三の仕切り（下仕切り）
２２２  第四の仕切り（上仕切り）
２２５  フランジ
２２６  フランジ
４０１  第１突出壁
４０２  レール
４０３  第２突出壁
【図１】
2008075889.tif 000003
【図２】
2008075889.tif 000004
【図３】
2008075889.tif 000005
【図４】
2008075889.tif 000006
【図５】
2008075889.tif 000007
【図６】
2008075889.tif 000008
【図７】
2008075889.tif 000009
【図８】
2008075889.tif 000010